(57)【要約】  通信装置に内蔵されているアンテナの位置をユーザに案内することができ、通信装置のアンテナと外部機器のアンテナとの位置合わせを容易に行うことができる通信装置及び通信方法を提供する。携帯機器（１）は、近接無線通信を行うためのループアンテナ（１１）と、ループアンテナ（１１）の指向方向とは反対の面に設けられた表示部（１２）と、ループアンテナ（１１）の携帯機器（１）における位置を表すアンテナ位置情報を記憶するアンテナ位置情報記憶部（１４２）とを備え、表示部（１２）は、アンテナ位置情報記憶部（１４２）に記憶されているアンテナ位置情報に基づいて、ループアンテナ（１１）の位置を表示する。
2012090494.tif 000002
【特許請求の範囲】
【請求項１】
近接無線通信を利用して外部機器と通信する通信装置であって、
近接無線通信を行うためのループアンテナと、
前記ループアンテナの指向方向とは反対の面に設けられた表示部と、
前記ループアンテナの前記通信装置における位置を表すアンテナ位置情報を記憶する位置情報記憶部とを備え、
前記表示部は、前記位置情報記憶部に記憶されている前記アンテナ位置情報に基づいて、前記ループアンテナの位置を表示することを特徴とする通信装置。
【請求項２】
前記通信装置を識別するための通信装置識別情報を記憶する通信装置識別情報記憶部と、
前記通信装置識別情報記憶部に記憶されている前記通信装置識別情報をネットワークを介して接続されたサーバへ送信し、前記サーバから前記通信装置識別情報に対応する前記アンテナ位置情報を取得する位置情報取得部とをさらに備え、
前記位置情報記憶部は、前記位置情報取得部によって取得された前記アンテナ位置情報を記憶することを特徴とする請求項１記載の通信装置。
【請求項３】
前記ループアンテナの指向方向の画像を取得する画像取得部をさらに備え、
前記表示部は、前記画像取得部によって取得された画像に、前記ループアンテナの位置を表すガイド画像を重畳して表示することを特徴とする請求項１又は２記載の通信装置。
【請求項４】
前記画像取得部は、前記ループアンテナに囲まれた範囲に配置されていることを特徴とする請求項３記載の通信装置。
【請求項５】
前記位置情報取得部は、前記アンテナ位置情報を取得すると共に、前記画像取得部の前記通信装置における位置を表す画像取得位置情報を取得し、
前記表示部は、前記アンテナ位置情報と前記画像取得位置情報とに応じて、前記画像取得部によって取得された画像に、前記ガイド画像を重畳して表示することを特徴とする請求項３記載の通信装置。
【請求項６】
前記表示部は、前記通信装置と前記外部機器との間の距離に応じて前記ガイド画像を表示することを特徴とする請求項３記載の通信装置。
【請求項７】
前記外部機器は、近接無線通信を行うアンテナの位置を表すガイドパターンを有し、
前記表示部は、前記画像取得部によって取得される画像に含まれる前記ガイドパターンの大きさに応じて前記ガイド画像を表示することを特徴とする請求項３記載の通信装置。
【請求項８】
前記外部機器は、近接無線通信を行うアンテナの位置を表すガイドパターンを有し、
前記外部機器の選択を受け付ける選択受付部と、
前記選択受付部によって選択された前記外部機器を識別するための外部機器識別情報を前記サーバへ送信し、前記外部機器識別情報に対応する前記ガイドパターンを取得するガイドパターン取得部とをさらに備え、
前記表示部は、前記ガイドパターン取得部によって取得された前記ガイドパターンを、前記ループアンテナの位置として表示することを特徴とする請求項１〜７のいずれかに記載の通信装置。
【請求項９】
近接無線通信を利用して外部機器と通信するための通信方法であって、
近接無線通信を行うためのループアンテナの前記通信装置における位置を表すアンテナ位置情報を位置情報記憶部に記憶する位置情報記憶ステップと、
前記ループアンテナの指向方向とは反対の面に設けられた表示部に、前記位置情報記憶部に記憶されている前記アンテナ位置情報に基づいて、前記ループアンテナの位置を表示する表示ステップとを含むことを特徴とする通信方法。
【発明の詳細な説明】
【技術分野】
【０００１】
本発明は、近接無線通信を利用して外部機器と通信する通信装置及び通信方法に関するものである。
【背景技術】
【０００２】
従来、ＲＦＩＤ（Ｒａｄｉｏ  Ｆｒｅｑｕｅｎｃｙ  ＩＤｅｎｔｉｆｉｃａｔｉｏｎ）などを用いて機器間で近接無線通信を行う技術が提案されている。このような近接無線通信は、通信距離が短く、通信を行う２つの無線通信機器のアンテナ同士を接近させる必要がある。無線通信機器のアンテナが実装されている面には、アンテナの位置を表すマークが付されており、ユーザは２つの無線通信機器のマーク同士を接近させて、２つの無線通信機器間で通信を行わせる。【０００３】
アンテナの位置を示すマークは、２つの無線通信機器を近接させることで、無線通信機器の陰に隠れてしまう。したがって、ユーザは、２つの無線通信機器間で通信を行わせるときに、互いのアンテナを正確に接近させることが困難であった。特に、携帯電話機に内蔵されるＲＦＩＤはアンテナの出力を上げることができないため、数ｍｍ単位でのアンテナ同士の位置合わせが必要であり、互いのアンテナを正確に接近させることが困難である。【０００４】
そこで、例えば、特許文献１では、携帯通信端末が、ケースに内蔵された近距離無線通信用のアンテナの位置を表示装置に補助表示させることが開示されている。また、例えば、特許文献２では、無線通信装置が、相手無線通信装置のアンテナの位置を自身のアンテナの位置に合わせるためのガイドを、撮像部で撮像しているリアルタイムな画像に合成させて表示部に表示させることが開示されている。【０００５】
しかしながら、上記の特許文献１及び特許文献２では、アンテナの位置を表示することについて開示されているが、アンテナの位置を表す情報を記憶することについては開示されていない。【０００６】
通常、通信装置に内蔵されるアンテナの位置は、通信装置の種類毎に異なる。そのため、通信装置は、自身のアンテナの位置を表す情報を記憶しておく必要があり、アンテナの位置を表す情報を記憶していない場合、通信装置に内蔵されているアンテナの位置をユーザに案内することができない。
【先行技術文献】
【特許文献】
【０００７】
【特許文献１】特開２００９−３３５９０号公報
【特許文献２】特開２０１０−１０９５９４号公報
【発明の概要】
【０００８】
本発明は、上記の問題を解決するためになされたもので、通信装置に内蔵されているアンテナの位置をユーザに案内することができ、通信装置のアンテナと外部機器のアンテナとの位置合わせを容易に行うことができる通信装置及び通信方法を提供することを目的とするものである。
【０００９】
本発明の一局面に係る通信装置は、近接無線通信を利用して外部機器と通信する通信装置であって、近接無線通信を行うためのループアンテナと、前記ループアンテナの指向方向とは反対の面に設けられた表示部と、前記ループアンテナの前記通信装置における位置を表すアンテナ位置情報を記憶する位置情報記憶部とを備え、前記表示部は、前記位置情報記憶部に記憶されている前記アンテナ位置情報に基づいて、前記ループアンテナの位置を表示する。
【００１０】
この構成によれば、表示部は、近接無線通信を行うためのループアンテナの指向方向とは反対の面に設けられ、位置情報記憶部は、ループアンテナの通信装置における位置を表すアンテナ位置情報を記憶する。そして、表示部は、位置情報記憶部に記憶されているアンテナ位置情報に基づいて、ループアンテナの位置を表示する。
【００１１】
本発明によれば、位置情報記憶部に記憶されているアンテナ位置情報に基づいて、ループアンテナの位置が表示されるので、通信装置に内蔵されているアンテナの位置をユーザに案内することができ、通信装置のアンテナと外部機器のアンテナとの位置合わせを容易に行うことができる。
【００１２】
本発明の目的、特徴及び利点は、以下の詳細な説明と添付図面とによって、より明白となる。
【図面の簡単な説明】
【００１３】
【図１】本発明の実施の形態１における通信システムの構成を示す図である。
【図２】（Ａ）は、本発明の実施の形態１における携帯機器の表面側から透視した裏面側を示す図であり、（Ｂ）は、本発明の実施の形態１における携帯機器の表面を示す図であり、（Ｃ）は、本発明の実施の形態１における携帯機器の側面を示す図である。
【図３】本発明の実施の形態１における携帯機器の内部構成を示す図である。
【図４】本発明の実施の形態１における通信システムの動作について説明するための第１のフローチャートである。
【図５】本発明の実施の形態１における通信システムの動作について説明するための第２のフローチャートである。
【図６】携帯機器を端末機器に近接させる動作について説明するための図である。
【図７】本発明の実施の形態２における携帯機器の内部構成を示す図である。
【図８】ガイドパターン情報記憶部に記憶されるガイドパターン情報テーブルの一例を示す図である。
【図９】本発明の実施の形態２における通信システムの動作について説明するための第１のフローチャートである。
【図１０】本発明の実施の形態２における通信システムの動作について説明するための第２のフローチャートである。
【図１１】表示部に表示される端末機器選択画面の一例を示す図である。
【図１２】本発明の実施の形態３における携帯機器の内部構成を示す図である。
【図１３】（Ａ）は、本発明の実施の形態３における携帯機器の表面側から透視した裏面側を示す図であり、（Ｂ）は、本発明の実施の形態３における携帯機器の表面を示す図であり、（Ｃ）は、本発明の実施の形態３における携帯機器の側面を示す図である。
【図１４】本発明の実施の形態３における通信システムの動作について説明するための第１のフローチャートである。
【図１５】本発明の実施の形態３における通信システムの動作について説明するための第２のフローチャートである。
【図１６】本発明の実施の形態３における通信システムの動作について説明するための第３のフローチャートである。
【図１７】（Ａ）は、本発明の実施の形態３の変形例における携帯機器の表面側から透視した裏面側を示す図であり、（Ｂ）は、本発明の実施の形態３の変形例における携帯機器の表面を示す図である。
【発明を実施するための形態】
【００１４】
以下添付図面を参照しながら、本発明の実施の形態について説明する。なお、以下の実施の形態は、本発明を具体化した一例であって、本発明の技術的範囲を限定する性格のものではない。
【００１５】
（実施の形態１）
本実施の形態１では、例えばＲＦＩＤリーダ／ライタを備える携帯機器を、ＲＦＩＤを備える端末機器に近接させて、端末機器からＩＤ等を含む端末機器の情報を表す端末機器情報を読み出し、携帯機器では読み出した端末機器情報に自身の携帯機器情報を付加してサーバへ送信する。これにより、例えば、端末機器情報を携帯機器情報に対応付けて、サーバ上のデータベースに登録することができる。
【００１６】
従来、サーバへのメールアドレスの登録や、製造番号の登録といったユーザ登録作業は、ユーザが直接入力することにより行われていた。そのため、入力処理作業の複雑さから、サーバに登録される端末機器の数が低迷していた。これに対し、本実施の形態１における携帯機器では、容易に端末機器に関する情報をサーバのデータベースに登録することができるため、ＩＴ機器に精通していないユーザであっても、より簡単に、より早く、より直感的にユーザ登録作業を行うことができる。これにより、データベースに登録される端末機器の増加が見込まれる。
【００１７】
図１は、本発明の実施の形態１における通信システムの構成を示す図である。図１に示す通信システムは、携帯機器１と、端末機器２と、サーバ３とを備える。
【００１８】
携帯機器１は、例えば携帯電話機などの通信装置から構成され、ループアンテナ１１を介して近接無線通信を利用して端末機器２と通信するとともに、ネットワーク４を介してサーバ３と通信可能に接続されている。携帯機器１は、端末機器２のＲＦＩＤ又はＮＦＣ（Ｎｅａｒ  Ｆｉｅｌｄ  Ｃｏｍｍｕｎｉｃａｔｉｏｎ）と通信可能なリーダ／ライタを備える機器であればどのような機器であってもよいが、可搬性のある機器がより好ましい。
【００１９】
端末機器２は、例えばテレビ、冷蔵庫、洗濯機及び電子レンジなどの家電機器から構成され、近接無線通信により携帯機器１と通信可能に接続される。なお、端末機器２は、家電機器だけでなく、住設機器、住環境を測定及び検知するセンサなども含めた、家庭内で使用される電化製品であり、パッシブ／アクティブＲＦＩＤ又はＮＦＣによってリーダ／ライタと通信可能な機器であればどのような機器であってもよい。端末機器２は、コントローラ２０１、メインメモリ２０２、近接無線通信部２０３及びループアンテナ２０４を備える。
【００２０】
コントローラ２０１は、ＣＰＵ（中央演算処理装置）等から構成され、近接無線通信部２０３の動作を制御するとともに、近接無線通信部２０３を介して受信した情報等に応じてメインメモリ２０２の動作を制御する。
【００２１】
メインメモリ２０２には、端末機器２を識別するための端末機器識別情報、例えば端末機器２の型番号及びシリアルナンバー等が製造時等に予め記憶される。また、メインメモリ２０２には、端末機器２の使用履歴及び不具合情報などの内部情報が記憶される。なお、メインメモリ２０２は、端末機器をサーバのデータベースに登録するために、端末機器のメーカが特定できる情報、製造日が特定できる情報、及び製造工程が特定できる情報などを含むことが好ましい。また、メインメモリ２０２は、端末機器２の製造メーカ毎に異なるサーバにアクセスするためのサーバ特定情報（例えばＵＲＬ（Ｕｎｉｆｏｒｍ  Ｒｅｓｏｕｒｃｅ  Ｉｄｅｎｔｉｆｉｅｒ））を含むことが好ましい。これにより、携帯機器１からサーバ３へ容易にアクセスすることが可能となる。また、ＵＲＬを端末装置２のメインメモリ２０２に保持することによって、携帯電話１は、どのような機種であっても、端末機器２に固有のサーバへ、アクセスすることが可能となる。
【００２２】
近接無線通信部２０３は、ループアンテナ２０４を介して無線方式により双方向で種々の情報を携帯機器１と送信及び受信する。
【００２３】
ループアンテナ２０４は、近接無線通信を行うためのアンテナである。本実施の形態では、近接無線通信として、１３．５６ＭＨｚ帯を用いるＨＦ帯域のＲＦＩＤ又はＮＦＣを想定しているが、この周波数帯に限定されることはない。近接無線通信の周波数帯は、９０ＭＨｚ〜１ＧＨｚのＵＨＦ帯であってもよく、２ＧＨｚ帯を越える周波数帯であってもよい。
【００２４】
サーバ３は、公知のサーバコンピュータ等から構成され、ネットワーク４を介して携帯機器１と通信可能に接続されている。サーバ３は、携帯機器１を識別するための携帯機器識別情報と、端末機器２を識別するための端末機器識別情報とを携帯機器１から受信し、受信した携帯機器識別情報と端末機器識別情報とを対応付けて記憶する。
【００２５】
図２は、本発明の実施の形態１における携帯機器の外観構成を示す図である。図２（Ａ）は、本発明の実施の形態１における携帯機器の表面側から透視した裏面側を示す図である。図２（Ｂ）は、本発明の実施の形態１における携帯機器の表面を示す図である。図２（Ｃ）は、本発明の実施の形態１における携帯機器の側面を示す図である。
【００２６】
図２（Ａ）〜図２（Ｃ）に示すように、携帯機器１にはループアンテナ１１が内蔵されている。携帯機器１の表面には、表示部１２が設けられている。表示部１２は、携帯機器１内におけるループアンテナ１１の位置を示すガイドライン１２１を表示する。ループアンテナ１１の指向方向は、表面から裏面に向かう方向であり、表示部１２とは反対の方向を向いている。言い換えるならば、ループアンテナ１１の指向方向とは反対の面が表面である。
【００２７】
図３は、本発明の実施の形態１における携帯機器の内部構成を示す図である。図３に示す携帯機器１は、ループアンテナ１１、表示部１２、システム制御部１３、メモリ部１４、近接無線通信部１５、操作部１６、ガイド表示制御部１７、姿勢検出部１８、移動網通信部１９及びアンテナ２０を備える。
【００２８】
ループアンテナ１１は、近接無線通信を行うためのアンテナであり、携帯機器１に内蔵されている。ループアンテナ１１は、携帯機器１の種類毎に異なる位置に配置される。
【００２９】
表示部１２は、ループアンテナ１１の指向方向とは反対の面に設けられ、種々の情報を表示する。なお、ループアンテナ１１は、表示部１２の表示範囲内に配置される。
【００３０】
システム制御部１３は、携帯機器１の全体を制御する。システム制御部１３は、操作部１６によって入力された操作に基づいて、メモリ部１４、近接無線通信部１５、ガイド表示制御部１７及び移動網通信部１９を制御する。
【００３１】
メモリ部１４は、携帯機器識別情報記憶部１４１及びアンテナ位置情報記憶部１４２を備える。携帯機器識別情報記憶部１４１は、携帯機器１を識別するための携帯機器識別情報を記憶する。携帯機器識別情報は、例えば携帯機器１の製造番号又はシリアル番号であり、製造時等に予め記憶される。アンテナ位置情報記憶部１４２は、ループアンテナ１１の携帯機器１における位置を表すアンテナ位置情報を記憶する。アンテナ位置情報は、サーバ３から取得され、アンテナ位置情報記憶部１４２に記憶される。アンテナ位置情報記憶部１４２は、ループアンテナ１１の位置に対応する、携帯機器１の表示部１２上の座標位置をアンテナ位置情報として記憶する。座標位置は、例えば、表示部１２の画素位置である。アンテナ位置情報は、表示部１２の位置とループアンテナ１１の位置とから計算される情報であってもよい。
【００３２】
近接無線通信部１５は、ループアンテナ１１を介して近接無線通信を利用して端末機器２と通信する。
【００３３】
操作部１６は、例えばタッチパネル又は操作キーなどで構成され、ユーザによる入力操作を受け付ける。
【００３４】
ガイド表示制御部１７は、アンテナ位置情報記憶部１４２に記憶されているアンテナ位置情報に基づいて、ループアンテナ１１の位置を表示するように表示部１２を制御する。
【００３５】
姿勢検出部１８は、加速度センサ１８１及び角速度センサ１８２を備える。加速度センサ１８１は、携帯機器１の加速度を検出し、角速度センサ１８２は、携帯機器の角速度を検出する。加速度センサ１８１によって検出される加速度と、角速度センサ１８２によって検出される角速度とに基づいて、携帯機器１の姿勢を特定することができる。ガイド表示制御部１７は、加速度センサ１８１によって検出される加速度と、角速度センサ１８２によって検出される角速度とに基づいて、表示部１２に表示されるガイドライン１２１の傾きを変化させる。
【００３６】
アンテナ２０は、ネットワーク４に接続するためのアンテナである。移動網通信部１９は、ネットワーク４を介してサーバ３と通信する。なお、ネットワーク４は、例えば移動体通信網である。移動網通信部１９は、携帯機器識別情報記憶部１４１に記憶されている携帯機器識別情報をネットワーク４を介して接続されたサーバ３へ送信し、サーバ３から携帯機器識別情報に対応するアンテナ位置情報を取得する。アンテナ位置情報記憶部１４２は、移動網通信部１９によって取得されたアンテナ位置情報を記憶する。
【００３７】
次に、本発明の実施の形態１における通信システムの動作について説明する。図４及び図５は、本発明の実施の形態１における通信システムの動作について説明するためのフローチャートである。
【００３８】
まず、ステップＳ１において、携帯機器１のシステム制御部１３は、ループアンテナ１１の位置を表示部１２に表示するためのアプリケーションを起動する。このとき、操作部１６は、ユーザによる当該アプリケーションの起動指示を受け付ける。システム制御部１３は、受け付けられた起動指示に基づいてアプリケーションを起動する。
【００３９】
次に、ステップＳ２において、システム制御部１３は、アンテナ位置情報記憶部１４２にアンテナ位置情報を記憶しているか否かを判断する。ここで、アンテナ位置情報を記憶していると判断された場合（ステップＳ２でＹＥＳ）、ステップＳ９の処理へ移行する。
【００４０】
一方、アンテナ位置情報を記憶していないと判断された場合（ステップＳ２でＮＯ）、ステップＳ３において、移動網通信部１９は、携帯機器識別情報記憶部１４１から読み出した携帯機器識別情報を含む、アンテナ位置情報を要求するためのアンテナ位置情報要求をサーバ３へ送信する。
【００４１】
次に、ステップＳ４において、サーバ３の通信部は、携帯機器１によって送信されたアンテナ位置情報要求を受信する。
【００４２】
次に、ステップＳ５において、サーバ３の制御部は、アンテナ位置情報要求に含まれる携帯機器識別情報に対応するアンテナ位置情報をアンテナ位置情報管理データベースから取得する。サーバ３が備えるアンテナ位置情報管理データベースには、携帯機器識別情報に対応するアンテナ位置情報が記憶されている。アンテナ位置情報管理データベースは、携帯機器の種別毎にアンテナ位置情報を記憶している。
【００４３】
次に、ステップＳ６において、サーバ３の通信部は、アンテナ位置情報管理データベースから取得したアンテナ位置情報を携帯機器１へ送信する。
【００４４】
次に、ステップＳ７において、携帯機器１の移動網通信部１９は、サーバ３によって送信されたアンテナ位置情報を受信する。
【００４５】
次に、ステップＳ８において、移動網通信部１９は、受信したアンテナ位置情報をアンテナ位置情報記憶部１４２に記憶する。アンテナ位置情報記憶部１４２は、移動網通信部１９によって受信されたアンテナ位置情報を記憶する。
【００４６】
次に、ステップＳ９において、ガイド表示制御部１７は、アンテナ位置情報記憶部１４２からアンテナ位置情報を読み出し、読み出したアンテナ位置情報を、表示部１２に表示するための座標値に変換する。ガイド表示制御部１７は、アンテナ位置情報に含まれる携帯機器１上の座標位置を、画面の左上の画素を原点とするＸ−Ｙ軸座標系の座標値に変換する。
【００４７】
次に、ステップＳ１０において、ガイド表示制御部１７は、アンテナ位置情報記憶部１４２に記憶されているアンテナ位置情報に基づいて、ループアンテナ１１の位置を表すガイドライン１２１を表示するよう表示部１２を制御する。表示部１２は、ガイド表示制御部１７の制御に基づいて、表示画面上にガイドライン１２１を表示する。ガイドライン１２１は、例えば、２つの直線で表される。当該２つの直線の交点がループアンテナ１１の位置を表す。当該２つの直線は、互いに直交する。
【００４８】
ここで、携帯機器１を端末機器２に近接させる動作について説明する。図６は、携帯機器１を端末機器２に近接させる動作について説明するための図である。
【００４９】
図６に示すように、端末機器２の表面には、ループアンテナ２０４の位置を表すガイドパターン２１０が形成されている。ガイドパターン２１０は、例えば＋形状である。なお、本実施の形態では、ガイドパターン２１０は、点灯表示されるが、本発明はこれに限定されず、表面に印刷されてもよい。また、ガイドパターン２１０は、端末機器２の内部状態に応じて、色又は点灯間隔を変化させてもよい。例えば、携帯機器１と通信していない通常状態では、ガイドパターン２１０が常時点灯され、携帯機器１と通信している状態では、ガイドパターン２１０が点滅される。
【００５０】
ユーザは、携帯機器１の表示部１２に表示されるガイドライン１２１を見ながら、携帯機器１の裏面を端末機器２のガイドパターン２１０に近接させる。ユーザは、携帯機器１の裏面のガイドライン１２１の交点部分に対応する位置をガイドパターン２１０に近接させる。これにより、携帯機器１と端末機器２とが通信可能に接続される。
【００５１】
図５に戻って、次に、ステップＳ１１において、近接無線通信部１５は、ループアンテナ１１を介してポーリング信号を端末機器２へ送信する。
【００５２】
次に、ステップＳ１２において、端末機器２の近接無線通信部２０３は、ループアンテナ２０４を介してポーリング信号を携帯機器１から受信する。
【００５３】
次に、ステップＳ１３において、近接無線通信部２０３は、ループアンテナ２０４を介してポーリング応答を携帯機器１へ送信する。
【００５４】
次に、ステップＳ１４において、携帯機器１の近接無線通信部１５は、ループアンテナ１１を介してポーリング応答を端末機器２から受信する。
【００５５】
次に、ステップＳ１５において、近接無線通信部１５は、ループアンテナ１１を介して、端末機器２を識別するための端末機器識別情報を要求するための端末機器識別情報要求を端末機器２へ送信する。
【００５６】
次に、ステップＳ１６において、端末機器２の近接無線通信部２０３は、ループアンテナ２０４を介して、端末機器識別情報要求を携帯機器１から受信する。
【００５７】
次に、ステップＳ１７において、コントローラ２０１は、メインメモリ２０２から端末機器識別情報を取得し、取得した端末機器識別情報を近接無線通信部２０３へ出力する。端末機器識別情報は、例えば端末機器２のシリアル番号である。なお、端末機器識別情報は、シリアル番号だけでなく、端末機器２の種類あるいは製品名を含んでもよい。
【００５８】
次に、ステップＳ１８において、近接無線通信部２０３は、ループアンテナ２０４を介して、コントローラ２０１によって取得された端末機器識別情報を携帯機器１へ送信する。
【００５９】
次に、ステップＳ１９において、携帯機器１の近接無線通信部１５は、ループアンテナ１１を介して、端末機器２によって送信された端末機器識別情報を受信する。
【００６０】
次に、ステップＳ２０において、システム制御部１３は、近接無線通信部１５によって受信された端末機器識別情報と、携帯機器識別情報記憶部１４１に記憶されている携帯機器識別情報とを対応付けたＤＢ（データベース）登録情報を作成する。システム制御部１３は、携帯機器識別情報だけでなく、携帯機器１のメールアドレス、携帯機器１の電話番号、携帯機器１の所有者の名前、あるいはＳＩＭ（Ｓｕｂｓｃｒｉｂｅｒ  Ｉｄｅｎｔｉｔｙ  Ｍｏｄｕｌｅ）カードに記憶されている契約者番号などと、端末機器識別情報とを対応付けたＤＢ登録情報を作成してもよい。
【００６１】
次に、ステップＳ２１において、移動網通信部１９は、アンテナ２０を介して、システム制御部１３によって作成されたＤＢ登録情報をサーバ３へ送信する。
【００６２】
次に、ステップＳ２２において、サーバ３の通信部は、携帯機器１によって送信されたＤＢ登録情報を受信する。
【００６３】
次に、ステップＳ２３において、サーバ３の制御部は、携帯機器１によって送信されたＤＢ登録情報を保有機器管理データベースに登録する。サーバ３が備える保有機器管理データベースには、携帯機器識別情報に端末機器識別情報が対応付けられて記憶されている。携帯機器識別情報は、使用者の識別情報として利用される。よって、保有機器管理データベースには、使用者が保有する端末機器のリストが管理されることになる。
【００６４】
このように、アンテナ位置情報記憶部１４２に記憶されているアンテナ位置情報に基づいて、ループアンテナ１１の位置が表示される。これにより、携帯機器１に内蔵されているループアンテナの位置をユーザに案内することができ、携帯機器１のアンテナと端末機器２のアンテナとの位置合わせを容易に行うことができる。
【００６５】
また、サーバ３から携帯機器識別情報に対応するアンテナ位置情報が取得されるので、出荷時にアンテナ位置情報が記憶されていない携帯機器１であっても、後からアンテナ位置情報を取得することができる。また、ループアンテナ１１の位置は、携帯機器の種類毎に異なるが、携帯機器１に応じたアンテナ位置情報を取得することができる。
【００６６】
通常、携帯機器の機種に応じて、近接無線通信のためのループアンテナ１１の取付け位置は異なる。本実施の形態の発明によれば、携帯機器の機種毎のループアンテナ位置情報を取得して記憶し、表示部１２にループアンテナ位置を表示することができる。これにより、ユーザが使用する携帯機器の機種を変更した場合においても、機種に応じたループアンテナ位置を表示部に表示できるので、携帯機器の機種を変更する前と同様の使用感を提供することができる。
【００６７】
（実施の形態２）
次に、本発明の実施の形態２における通信システムについて説明する。実施の形態２では、端末機器に実装されたループアンテナの位置を表すガイドパターンと同じ形状のガイドパターン画像を、携帯機器に実装されたループアンテナの位置に表示する。
【００６８】
図７は、本発明の実施の形態２における携帯機器の内部構成を示す図である。なお、本発明の実施の形態２における通信システムの構成は、実施の形態１における通信システムの構成と同じであるので説明を省略する。
【００６９】
図７に示す携帯機器１は、ループアンテナ１１、表示部１２、システム制御部１３、メモリ部１４、近接無線通信部１５、操作部１６、ガイド表示制御部１７、姿勢検出部１８、移動網通信部１９及びアンテナ２０を備える。メモリ部１４は、携帯機器識別情報記憶部１４１、アンテナ位置情報記憶部１４２及びガイドパターン情報記憶部１４３を備える。なお、実施の形態２の携帯機器において、実施の形態１の携帯機器と同じ構成については同じ符号を付し、説明を省略する。
【００７０】
実施の形態２における携帯機器は、実施の形態１における携帯機器とは異なり、メモリ部１４がガイドパターン情報記憶部１４３を備えている。
【００７１】
ガイドパターン情報記憶部１４３は、端末機器毎に異なるガイドパターンを、端末機器識別情報に対応付けて記憶する。ガイドパターン情報記憶部１４３は、端末機器識別情報とガイドパターンとを対応付けたガイドパターン情報テーブルを記憶する。
【００７２】
図８は、ガイドパターン情報記憶部１４３に記憶されるガイドパターン情報テーブルの一例を示す図である。図８に示すように、ガイドパターン情報テーブル４００は、シリアル番号（端末機器識別情報）と、ガイドパターンとを対応付けて記憶している。例えば、シリアル番号“ＡＡＡＡ”には、＋形状のガイドパターンが対応付けられている。シリアル番号“ＢＢＢＢ”には、二重丸形状のガイドパターンが対応付けられている。シリアル番号“ＣＣＣＣ”には、星形状のガイドパターンが対応付けられている。シリアル番号“ＤＤＤＤ”には、四角形状のガイドパターンが対応付けられている。これらのガイドパターンは、端末機器２の表面に形成されるガイドパターンの形状と同じであり、端末機器毎に異なる。
【００７３】
操作部１６は、近接無線通信を行う端末機器の選択を受け付ける。移動網通信部１９は、操作部１６によって選択された端末機器を識別するための端末機器識別情報をサーバ３へ送信し、端末機器識別情報に対応するガイドパターンを取得する。
【００７４】
表示部１２は、移動網通信部１９によって取得されたガイドパターンを、ループアンテナの位置として表示する。
【００７５】
次に、本発明の実施の形態２における通信システムの動作について説明する。図９及び図１０は、本発明の実施の形態２における通信システムの動作について説明するためのフローチャートである。
【００７６】
まず、ステップＳ３１において、携帯機器１のシステム制御部１３は、ループアンテナ１１の位置を表示部１２に表示するためのアプリケーションを起動する。このとき、操作部１６は、ユーザによる当該アプリケーションの起動指示を受け付ける。システム制御部１３は、受け付けられた起動指示に基づいてアプリケーションを起動する。
【００７７】
次に、ステップＳ３２において、移動網通信部１９は、ユーザが保有している端末機器を表す保有機器リストを要求するための保有機器リスト要求をサーバ３へ送信する。なお、保有機器リスト要求は、携帯機器１を識別するための携帯機器識別情報を含む。
【００７８】
次に、ステップＳ３３において、サーバ３の通信部は、携帯機器１によって送信された保有機器リスト要求を受信する。
【００７９】
次に、ステップＳ３４において、サーバ３の制御部は、保有機器リスト要求に含まれる携帯機器識別情報に対応する端末機器識別情報を保有機器管理データベースから抽出し、抽出した端末機器識別情報を保有機器リストとして作成する。保有機器管理データベースには、端末機器識別情報と携帯機器識別情報とが対応付けられて記憶されている。
【００８０】
次に、ステップＳ３５において、サーバ３の通信部は、制御部によって作成された保有機器リストを携帯機器１へ送信する。
【００８１】
次に、ステップＳ３６において、携帯機器１の移動網通信部１９は、サーバ３によって送信された保有機器リストを受信する。
【００８２】
次に、ステップＳ３７において、ガイド表示制御部１７は、移動網通信部１９によって受信された保有機器リストの中から、１つの端末機器を選択するための端末機器選択画面を表示するよう表示部１２を制御する。表示部１２は、ガイド表示制御部１７によって制御されることにより、端末機器選択画面を表示する。
【００８３】
図１１は、表示部に表示される端末機器選択画面の一例を示す図である。端末機器選択画面には、端末機器の種類名及びシリアル番号が選択可能に表示される。図１１の端末機器選択画面では、選択可能な端末機器を表す４つの選択項目１２２が表示される。各選択項目１２２は、例えば、“テレビ  シリアル番号：ＡＡＡＡ”、“冷蔵庫  シリアル番号：ＢＢＢＢ”、“洗濯機  シリアル番号：ＣＣＣＣ”及び“炊飯器  シリアル番号：ＤＤＤＤ”である。
【００８４】
次に、ステップＳ３８において、操作部１６は、端末機器選択画面に表示された端末機器の中から、近接無線通信を行う端末機器の選択を受け付ける。
【００８５】
ユーザは、表示部１２に表示される選択項目１２２の中から、近接無線通信を行う端末機器を選択する。操作部１６は、ユーザによる端末機器の選択操作を受け付ける。なお、表示部１２がタッチパネルであれば、表示画面がタッチされることにより、所望の選択項目が選択される。また、表示部１２がタッチパネルではない場合、携帯機器１に設けられた操作部材が操作されることにより、所望の選択項目が選択される。
【００８６】
次に、ステップＳ３９において、システム制御部１３は、ガイドパターン情報記憶部１４３にユーザによって選択された端末機器のガイドパターン情報を記憶しているか否かを判断する。ここで、ガイドパターン情報を記憶していると判断された場合（ステップＳ３９でＹＥＳ）、ステップＳ４６の処理へ移行する。
【００８７】
一方、ガイドパターン情報を記憶していないと判断された場合（ステップＳ３９でＮＯ）、ステップＳ４０において、移動網通信部１９は、ユーザによって選択された端末機器の端末機器識別情報を含む、サーバ３にガイドパターン情報を要求するためのガイドパターン情報要求を送信する。端末機器識別情報には、端末機器の種別（型式）が含まれてもよい。
【００８８】
次に、ステップＳ４１において、サーバ３の通信部は、携帯機器１によって送信されたガイドパターン情報要求を受信する。
【００８９】
次に、ステップＳ４２において、サーバ３の制御部は、ガイドパターン情報要求に含まれる端末機器識別情報に対応するガイドパターン情報をガイドパターン情報管理データベースから取得する。サーバ３が備えるガイドパターン情報管理データベースには、端末機器識別情報に対応するガイドパターン情報が記憶されている。ガイドパターン情報管理データベースは、端末機器のシリアル番号毎にガイドパターン情報を記憶している。ガイドパターン情報管理データベースは、端末機器の種別（型式）毎にガイドパターン情報を記憶していてもよい。
【００９０】
次に、ステップＳ４３において、サーバ３の通信部は、ガイドパターン情報管理データベースから取得したガイドパターン情報を携帯機器１へ送信する。
【００９１】
次に、ステップＳ４４において、携帯機器１の移動網通信部１９は、サーバ３によって送信されたガイドパターン情報を受信する。
【００９２】
次に、ステップＳ４５において、移動網通信部１９は、受信したガイドパターン情報をガイドパターン情報記憶部１４３に記憶する。ガイドパターン情報記憶部１４３は、移動網通信部１９によって受信されたガイドパターン情報を記憶する。なお、ガイドパターン情報記憶部１４３は、携帯機器１の製造時にガイドパターン情報を予め記憶してもよい。
【００９３】
なお、ステップＳ４６〜Ｓ５３の処理は、図４のステップＳ２〜Ｓ９の処理と同じであるので、説明を省略する。
【００９４】
次に、ステップＳ５４において、ガイド表示制御部１７は、ガイドパターン情報記憶部１４３に記憶されているガイドパターンを表すガイドパターン画像を、ループアンテナ１１の位置に表示するよう表示部１２を制御する。ガイド表示制御部１７は、ガイドパターン情報記憶部１４３からユーザによって選択された端末機器２に対応するガイドパターン画像を読み出す。そして、ガイド表示制御部１７は、読み出したガイドパターン画像を、アンテナ位置情報により特定されるループアンテナ１１の位置に表示するよう表示部１２を制御する。表示部１２は、ガイド表示制御部１７の制御に基づいて、表示画面上にガイドパターン画像を表示する。ガイドパターン画像は、ループアンテナ１１の位置を表す。
【００９５】
なお、ステップＳ５５以降の処理は、図５のステップＳ１１〜Ｓ２３の処理と同じであるので、説明を省略する。
【００９６】
このように、移動網通信部１９によって取得されたガイドパターンが、ループアンテナ１１の位置として表示されるので、ユーザは、携帯機器１の表示部１２に表示されているガイドパターンを確認することにより、端末機器２が有するガイドパターンを探すことができ、携帯機器１のアンテナと端末機器２のアンテナとの位置合わせを容易に行うことができる。
【００９７】
通常、端末機器は、端末機器の種類毎に、表面に形成可能なパターンは異なる。例えば、冷蔵庫のように平面が多い端末機器であれば、十字型のガイドパターンを形成することができる。一方、炊飯器のように曲面が多い端末機器では、十字型よりも、円形のパターンが適している。円形のパターンは、曲面の影響が出にくいからである。
【００９８】
本実施の形態の発明によれば、端末機器の表面形状や色に応じて、それぞれ適したガイドパターンが形成されていても、近接させる端末機器毎に固有のガイドパターンをサーバから取得することによって、それぞれの端末機器に応じたガイドパターンを表示部１２に表示することができる。
【００９９】
（実施の形態３）
次に、本発明の実施の形態３における通信システムについて説明する。実施の形態３では、撮像されたループアンテナの指向方向の画像に、ループアンテナの位置を重畳して表示する。
【０１００】
図１２は、本発明の実施の形態３における携帯機器の内部構成を示す図である。なお、本発明の実施の形態３における通信システムの構成は、実施の形態１における通信システムの構成と同じであるので説明を省略する。
【０１０１】
図１２に示す携帯機器１は、ループアンテナ１１、表示部１２、システム制御部１３、メモリ部１４、近接無線通信部１５、操作部１６、ガイド表示制御部１７、姿勢検出部１８、移動網通信部１９、アンテナ２０、画像取得部２１及びパターン識別部２２を備える。メモリ部１４は、携帯機器識別情報記憶部１４１、アンテナ位置情報記憶部１４２、ガイドパターン情報記憶部１４３及びカメラ位置情報記憶部１４４を備える。なお、実施の形態３の携帯機器において、実施の形態１及び実施の形態２の携帯機器と同じ構成については同じ符号を付し、説明を省略する。
【０１０２】
実施の形態３における携帯機器は、実施の形態２における携帯機器とは異なり、携帯機器１が画像取得部２１及びパターン識別部２２を備え、メモリ部１４がカメラ位置情報記憶部１４４を備えている。
【０１０３】
画像取得部２１は、例えばＣＣＤ（Ｃｈａｒｇｅ  Ｃｏｕｐｌｅｄ  Ｄｅｖｉｃｅ）カメラで構成され、ループアンテナ１１の指向方向の画像を取得する。画像取得部２１は、携帯機器１の種類毎に異なる位置に配置される。
【０１０４】
パターン識別部２２は、画像取得部２１によって取得された画像の中から、ガイドパターン情報記憶部１４３に記憶されているガイドパターンに一致する図形を識別する。
【０１０５】
カメラ位置情報記憶部１４４は、画像取得部２１の携帯機器１における位置を表すカメラ位置情報を記憶する。カメラ位置情報記憶部１４４は、画像取得部２１の位置に対応する、携帯機器１上の座標位置をカメラ位置情報として記憶する。なお、カメラ位置情報を表す座標位置の座標系と、アンテナ位置情報を表す座標位置の座標系とは同じである。移動網通信部１９は、アンテナ位置情報を取得すると共に、カメラ位置情報を取得する。
【０１０６】
表示部１２は、画像取得部２１によって取得された画像に、ループアンテナ１１の位置を重畳して表示する。また、表示部１２は、アンテナ位置情報とカメラ位置情報とに応じてループアンテナ１１の位置を表示する。さらに、表示部１２は、携帯機器１と端末機器２との間の距離に応じてループアンテナ１１の位置を表示する。さらにまた、表示部１２は、画像取得部２１によって取得される画像に含まれるガイドパターンの大きさに応じてループアンテナ１１の位置を表示する。
【０１０７】
図１３は、本発明の実施の形態３における携帯機器の外観構成を示す図である。図１３（Ａ）は、本発明の実施の形態３における携帯機器の表面側から透視した裏面側を示す図である。図１３（Ｂ）は、本発明の実施の形態３における携帯機器の表面を示す図である。図１３（Ｃ）は、本発明の実施の形態３における携帯機器の側面を示す図である。
【０１０８】
図１３（Ａ）〜図１３（Ｃ）に示すように、携帯機器１の表面には、表示部１２が設けられている。携帯機器１にはループアンテナ１１が内蔵されている。実施の形態１では、ループアンテナ１１は、表示部１２の表示範囲内に配置されることとしたが、本発明の実施の形態３では、これに限らず、表示部１２の表示範囲外に配置されてもよい。
【０１０９】
携帯機器１の裏面には、画像取得部２１が配置されている。なお、本実施の形態３では、画像取得部２１は、携帯機器１の表面側から見て左上端部に配置されているが、本発明は特にこれに限定されない。ループアンテナ１１の指向方向は、表面から裏面に向かう方向であり、表示部とは反対の方向を向いている。ループアンテナ１１の指向方向と、画像取得部２１の撮像方向とは、一致している。
【０１１０】
表示部１２は、画像取得部２１によって取得された画像に、携帯機器１内におけるループアンテナ１１の位置を示すガイドライン１２１を重畳して表示する。また、表示部１２は、携帯機器１と端末機器２とが接近した場合、画像取得部２１によって取得された画像に替えて、端末機器２の表面に形成されているガイドパターンと同じ図形であるガイドパターン画像１２３を表示する。
【０１１１】
次に、本発明の実施の形態３における通信システムの動作について説明する。図１４、図１５及び図１６は、本発明の実施の形態３における通信システムの動作について説明するためのフローチャートである。
【０１１２】
ここで、ステップＳ６１〜Ｓ６８の処理は、図４のステップＳ１〜Ｓ８の処理と同じであるので、説明を省略する。
【０１１３】
ステップＳ６９において、システム制御部１３は、カメラ位置情報記憶部１４４にカメラ位置情報を記憶しているか否かを判断する。ここで、カメラ位置情報を記憶していると判断された場合（ステップＳ６９でＹＥＳ）、ステップＳ７６の処理へ移行する。
【０１１４】
一方、カメラ位置情報を記憶していないと判断された場合（ステップＳ６９でＮＯ）、ステップＳ７０において、移動網通信部１９は、携帯機器識別情報記憶部１４１から読み出した携帯機器識別情報を含む、サーバ３にカメラ位置情報を要求するためのカメラ位置情報要求を送信する。
【０１１５】
次に、ステップＳ７１において、サーバ３の通信部は、携帯機器１によって送信されたカメラ位置情報要求を受信する。
【０１１６】
次に、ステップＳ７２において、サーバ３の制御部は、カメラ位置情報要求に含まれる携帯機器識別情報に対応するカメラ位置情報をカメラ位置情報管理データベースから取得する。サーバ３が備えるカメラ位置情報管理データベースには、携帯機器識別情報に対応するカメラ位置情報が記憶されている。カメラ位置情報管理データベースは、携帯機器の種別毎にカメラ位置情報を記憶している。
【０１１７】
次に、ステップＳ７３において、サーバ３の通信部は、カメラ位置情報管理データベースから取得したカメラ位置情報を携帯機器１へ送信する。
【０１１８】
次に、ステップＳ７４において、携帯機器１の移動網通信部１９は、サーバ３によって送信されたカメラ位置情報を受信する。
【０１１９】
次に、ステップＳ７５において、移動網通信部１９は、受信したカメラ位置情報をカメラ位置情報記憶部１４４に記憶する。カメラ位置情報記憶部１４４は、移動網通信部１９によって受信されたカメラ位置情報を記憶する。なお、カメラ位置情報記憶部１４４は、携帯機器１の製造時において予めカメラ位置情報を記憶してもよい。
【０１２０】
次に、ステップＳ７６において、システム制御部１３は、画像取得部２１を起動し、画像取得部２１は、画像の取得（撮像）を開始する。画像取得部２１は、取得した画像をパターン識別部２２へ出力する。
【０１２１】
次に、ステップＳ７７において、近接無線通信部１５は、ループアンテナ１１を介してポーリング信号を端末機器２へ送信する。なお、このとき、携帯機器１を端末機器２に近接させていないので、直ちにポーリング応答が返信されることはない。近接無線通信部１５は、ポーリング応答を受信するまで継続的にポーリング信号を送信する。
【０１２２】
次に、ステップＳ７８において、ガイド表示制御部１７は、アンテナ位置情報記憶部１４２に記憶されているアンテナ位置情報とカメラ位置情報記憶部１４４に記憶されているカメラ位置情報とに基づいて、ループアンテナ１１の位置を表すガイドライン１２１を、画像取得部２１によって取得された画像に重畳して表示するよう表示部１２を制御する。
【０１２３】
アンテナ位置情報を表す座標位置の座標系と、カメラ位置情報を表す座標位置の座標系とは同じである。そのため、ループアンテナ１１と画像取得部２１との携帯機器１上における位置関係を特定することができ、ループアンテナ１１と画像取得部２１と間の距離を特定することができる。ガイド表示制御部１７は、ループアンテナ１１と画像取得部２１と間の携帯機器１上の距離を、表示部１２の表示画面上の距離に換算し、ループアンテナ１１の位置を表すガイドライン１２１を、画像取得部２１によって取得された画像に重畳して表示するよう表示部１２を制御する。
【０１２４】
表示部１２は、ガイド表示制御部１７の制御に基づいて、表示画面上にガイドライン１２１を、画像取得部２１によって取得された画像に重畳して表示する。ガイドライン１２１は、例えば、２つの直線で表される。当該２つの直線は互いに直交する。当該２つの直線の交点がループアンテナ１１の位置を表す。
【０１２５】
次に、ステップＳ７９において、ガイド表示制御部１７は、端末機器２の表面に形成されているガイドパターンまでの焦点距離に応じて、ループアンテナ１１の位置を表すガイドライン１２１の表示位置を変更する。ガイド表示制御部１７は、撮像された端末機器２の表面に形成されているガイドパターンの大きさに応じて、ループアンテナ１１の位置を表すガイドライン１２１の表示位置を変更する。
【０１２６】
携帯機器１が端末機器２に近づくにつれて、焦点距離が短くなるとともに、撮像されたガイドパターンが大きくなる。そこで、ガイド表示制御部１７は、端末機器２の表面に形成されているガイドパターンまでの焦点距離を算出し、算出した焦点距離に応じて、ループアンテナ１１の位置を表すガイドライン１２１の表示位置を変更する。また、パターン識別部２２は、画像取得部２１によって取得された画像の中から、ガイドパターン情報記憶部１４３に記憶されているガイドパターンに一致する図形を識別する。そして、ガイド表示制御部１７は、パターン識別部２２によって識別されたガイドパターンの大きさに基づいて、ガイドライン１２１の表示位置を変更する。
【０１２７】
次に、ステップＳ８０において、ガイド表示制御部１７は、焦点距離が閾値よりも短いか否か又はピンぼけが検出されたか否かを判断する。ここで、焦点距離が閾値よりも短くない又はピンぼけが検出されていないと判断された場合（ステップＳ８０でＮＯ）、ステップＳ８４の処理へ移行する。なお、ピンぼけは、画像取得部２１によって取得される画像の境界部分（輪郭部分）の信号の尖鋭度に基づいて検出される。
【０１２８】
一方、焦点距離が閾値よりも短い又はピンぼけが検出されたと判断された場合（ステップＳ８０でＹＥＳ）、ステップＳ８１において、ガイド表示制御部１７は、ガイドパターン情報記憶部１４３に記憶されているガイドパターン画像を読み出し、読み出したガイドパターン画像を表示部１２に表示させる。
【０１２９】
携帯機器１が端末機器２に近づくにつれて、撮像される画像への焦点が合わなくなり、画像がぼやけて表示される。そして、携帯機器１が端末機器２に接触すると、画像取得部２１によって取得された画像は暗くなり、ガイドパターンを表示できなくなる。そこで、ガイド表示制御部１７は、ピンぼけする距離まで携帯機器１が端末機器２に近づいた場合に、表示部１２に表示される画像を、画像取得部２１によって取得された画像から、ガイドパターン情報記憶部１４３に記憶されているガイドパターン画像へ切り替える。これにより、表示部１２にガイドパターンが表示されなくなることを防止することができる。
【０１３０】
次に、ステップＳ８４において、近接無線通信部１５は、ループアンテナ１１を介してポーリング応答を端末機器２から受信したか否かを判断する。ポーリング信号は、継続的に送信されている。そのため、端末機器２の近接無線通信部２０３は、ループアンテナ２０４を介してポーリング信号を携帯機器１から受信し（ステップＳ８２）、ループアンテナ２０４を介してポーリング応答を携帯機器１へ送信する（ステップＳ８３）。ここで、ポーリング応答を端末機器２から受信していないと判断された場合（ステップＳ８４でＮＯ）、ステップＳ７８の処理へ戻る。
【０１３１】
一方、ポーリング応答を端末機器２から受信したと判断された場合（ステップＳ８４でＹＥＳ）、近接無線通信部１５は、ループアンテナ１１を介して、端末機器２を識別するための端末機器識別情報を要求するための端末機器識別情報要求を端末機器２へ送信する。
【０１３２】
なお、ステップＳ８６〜Ｓ９３の処理は、図５に示すステップＳ１６〜Ｓ２３の処理と同じであるので説明を省略する。
【０１３３】
このように、画像取得部２１によって取得された画像に、ループアンテナ１１の位置を表すガイド画像（ガイドライン１２１）が重畳して表示されるので、携帯機器１を端末機器２に近接させたとしても、ユーザは、画像取得部２１によって取得された画像を見ながら、携帯機器１のアンテナと端末機器２のアンテナとの位置合わせを行うことができる。
【０１３４】
また、アンテナ位置情報とカメラ位置情報とに応じて、画像取得部によって取得された画像に、ガイド画像（ガイドライン１２１）が重畳して表示されるので、ループアンテナ１１と画像取得部２１とが携帯機器１内の異なる位置に配置されている場合であっても、画像取得部２１によって取得された画像に、ガイド画像を正確に重畳して表示することができる。
【０１３５】
また、携帯機器１と端末機器２との間の距離に応じてガイド画像（ガイドライン１２１）が表示されるので、携帯機器１と端末機器２との間の距離が短くなるにつれて、ガイド画像の表示位置を変更することができる。
【０１３６】
さらに、画像取得部２１によって取得される画像に含まれるガイドパターンの大きさに応じてガイド画像（ガイドライン１２１）が表示されるので、画像取得部２１によって取得される画像に含まれるガイドパターンが大きくなるにつれて、ガイド画像の表示位置を変更することができる。
【０１３７】
次に、本発明の実施の形態３の変形例について説明する。図１７は、本発明の実施の形態３の変形例における携帯機器の外観構成を示す図である。図１７（Ａ）は、本発明の実施の形態３の変形例における携帯機器の表面側から透視した裏面側を示す図である。図１７（Ｂ）は、本発明の実施の形態３の変形例における携帯機器の表面を示す図である。
【０１３８】
上記の実施の形態３における携帯機器では、ループアンテナ１１と画像取得部２１とは異なる位置に配置されている。これに対し、実施の形態３の変形例における携帯機器では、画像取得部２１は、ループアンテナ１１に囲まれた範囲に配置される。
【０１３９】
図１７（Ａ）に示すように、画像取得部２１は、ループアンテナ１１に囲まれた範囲に配置されており、ループアンテナ１１に囲まれた範囲の中心部分に画像取得部２１が配置されることがより好ましい。この場合、図１７（Ｂ）に示すように、ループアンテナ１１の位置を表すガイドライン１２１の交点が表示画面の中心部分に表示される。
【０１４０】
これにより、表示部１２に表示される撮影画像の中心部分がループアンテナ１１の位置に相当するため、撮影画像を補正することなく、ループアンテナ１１の位置を表示画面の中央付近に表示することができる。
【０１４１】
さらに、画像取得部２１とループアンテナ１１との位置関係は、端末機器２と携帯機器１とが近接無線通信可能な最大距離において、画像取得部２１の撮影画像の中に端末機器２のループアンテナ実装部（ガイドパターン）が写る範囲内にすることが望ましい。
【０１４２】
例えば、近接無線通信可能な最大距離が１ｃｍであるならば、画像取得部２１とループアンテナ１１との間の距離は、携帯機器１の画像取得部２１が撮像方向と垂直な平面を１ｃｍ離れた位置から撮影している場合に、撮影画像の中心に写る点から端に写る点までの距離より短いことが望ましい。この場合、携帯機器１と端末機器２とが近接無線通信により接続されるまで、表示部１２に端末機器２側のループアンテナ位置を表示できる。これにより、携帯機器１と端末機器２との近接無線通信を容易に確立できるようにガイド表示を行うことができる。
【０１４３】
また、携帯機器１の画像取得部２１が、予め広角レンズを備えている場合には、フォーカス位置に応じて広角レンズに切り替えることで、端末機器２のループアンテナ位置を撮影しやすくすることも有効である。
【０１４４】
また、図１６のステップＳ８０において、ガイド表示制御部１７は、焦点距離が閾値より短いか否か、あるいはピンぼけの検出の判定をする代わりに、端末機器２を撮影して得られるガイドパターンの大きさを画像認識等で認識して判断しても同様の効果を得ることができる。端末機器２側のループアンテナ実装部には、携帯機器１を近接させる位置を明確にするためにガイドパターンが形成される。したがって、ガイド表示制御部１７は、画像取得部２１で取得するガイドパターンの大きさを、携帯機器１と端末機器２との距離を示す情報として利用可能であり、焦点距離と同様の情報として利用することができる。携帯機器１と端末機器２との距離が短くなりすぎると、画像取得部２１で取得するガイドパターンが、表示部１２いっぱいに表示されてしまったり、ピンぼけしてしまったりする。本実施の形態では、ガイド表示制御部１７は、このような場合においても、携帯機器１と端末機器２との近接無線通信を容易に確立できるようにガイドパターンを表示させることができる。
【０１４５】
また、本実施の形態では、ガイド表示制御部１７は、フォーカス位置に応じて、表示部１２に表示するガイド位置を変更する。携帯機器１の画像取得部２１の取付け位置とループアンテナ１１の取付け位置とが離れている場合、表示部１２に表示されている画像スケールがフォーカス位置によって異なる。このため、ガイド表示制御部１７は、フォーカス位置に基づいて画像スケールを判定して、ガイドを表示する位置を補正する。具体的には、画像取得部２１と端末機器２との距離が離れている場合には広い範囲（例えば１０ｃｍ）を撮影可能であるが、画像取得部２１と端末機器２との距離が近い場合には狭い範囲（例えば２ｃｍ）しか撮影できない。一方、携帯機器１の画像取得部２１とループアンテナ１１との距離は、携帯機器１に応じて決まっている（例えば１ｃｍ）。ガイド表示制御部１７は、表示部１２で表示している画像のスケールをフォーカス位置に応じて判定して、ループアンテナ位置として表示するガイド位置を変更する。これにより、ユーザは、ガイド表示にしたがって、簡単に、携帯機器１と端末機器２との近接無線通信を容易に確立させることができるように、ガイド表示を行うことが可能となる。
【０１４６】
なお、本実施の形態１〜３では、ループアンテナ１１の位置は、ガイドライン１２１の交点の位置で表しているが、本発明は特にこれに限定されない。ループアンテナ１１の位置を他の表示態様で表示してもよく、例えば、ループアンテナ１１の位置を表すマークを表示してもよい。
【０１４７】
また、本実施の形態１〜３において、コンピュータが、近接無線通信を利用して外部機器と通信するための通信プログラムを実行することにより、システム制御部１３、ガイド表示制御部１７、携帯機器識別情報記憶部１４１、アンテナ位置情報記憶部１４２、ガイドパターン情報記憶部１４３及びカメラ位置情報記憶部１４４として機能させてもよい。
【０１４８】
なお、上述した具体的実施形態には以下の構成を有する発明が主に含まれている。
【０１４９】
本発明の一局面に係る通信装置は、近接無線通信を利用して外部機器と通信する通信装置であって、近接無線通信を行うためのループアンテナと、前記ループアンテナの指向方向とは反対の面に設けられた表示部と、前記ループアンテナの前記通信装置における位置を表すアンテナ位置情報を記憶する位置情報記憶部とを備え、前記表示部は、前記位置情報記憶部に記憶されている前記アンテナ位置情報に基づいて、前記ループアンテナの位置を表示する。
【０１５０】
この構成によれば、表示部は、近接無線通信を行うためのループアンテナの指向方向とは反対の面に設けられ、位置情報記憶部は、ループアンテナの通信装置における位置を表すアンテナ位置情報を記憶する。そして、表示部は、位置情報記憶部に記憶されているアンテナ位置情報に基づいて、ループアンテナの位置を表示する。
【０１５１】
したがって、位置情報記憶部に記憶されているアンテナ位置情報に基づいて、ループアンテナの位置が表示されるので、通信装置に内蔵されているアンテナの位置をユーザに案内することができ、通信装置のアンテナと外部機器のアンテナとの位置合わせを容易に行うことができる。
【０１５２】
また、上記の通信装置において、前記通信装置を識別するための通信装置識別情報を記憶する通信装置識別情報記憶部と、前記通信装置識別情報記憶部に記憶されている前記通信装置識別情報をネットワークを介して接続されたサーバへ送信し、前記サーバから前記通信装置識別情報に対応する前記アンテナ位置情報を取得する位置情報取得部とをさらに備え、前記位置情報記憶部は、前記位置情報取得部によって取得された前記アンテナ位置情報を記憶するが好ましい。
【０１５３】
この構成によれば、通信装置識別情報記憶部は、通信装置を識別するための通信装置識別情報を記憶し、位置情報取得部は、通信装置識別情報記憶部に記憶されている通信装置識別情報をネットワークを介して接続されたサーバへ送信し、サーバから通信装置識別情報に対応するアンテナ位置情報を取得する。そして、位置情報記憶部は、位置情報取得部によって取得されたアンテナ位置情報を記憶する。
【０１５４】
したがって、サーバから通信装置識別情報に対応するアンテナ位置情報が取得されるので、出荷時にアンテナ位置情報が記憶されていない通信装置であっても、後からアンテナ位置情報を取得することができる。また、ループアンテナの位置は、通信装置の種類毎に異なるが、通信装置に応じたアンテナ位置情報を取得することができる。
【０１５５】
また、上記の通信装置において、前記ループアンテナの指向方向の画像を取得する画像取得部をさらに備え、前記表示部は、前記画像取得部によって取得された画像に、前記ループアンテナの位置を表すガイド画像を重畳して表示することが好ましい。
【０１５６】
この構成によれば、画像取得部は、ループアンテナの指向方向の画像を取得し、表示部は、画像取得部によって取得された画像に、ループアンテナの位置を表すガイド画像を重畳して表示する。したがって、画像取得部によって取得された画像に、ループアンテナの位置を表すガイド画像が重畳して表示されるので、通信装置を外部機器に近接させたとしても、ユーザは、画像取得部によって取得された画像を見ながら、通信装置のアンテナと外部機器のアンテナとの位置合わせを行うことができる。
【０１５７】
また、上記の通信装置において、前記画像取得部は、前記ループアンテナに囲まれた範囲に配置されていることが好ましい。この構成によれば、画像取得部によって取得された画像の中心部分がループアンテナの位置に相当するため、画像取得部によって取得された画像を補正することなく、ループアンテナの位置を表示画面の中央付近に表示することができる。
【０１５８】
また、上記の通信装置において、前記位置情報取得部は、前記アンテナ位置情報を取得すると共に、前記画像取得部の前記通信装置における位置を表す画像取得位置情報を取得し、前記表示部は、前記アンテナ位置情報と前記画像取得位置情報とに応じて、前記画像取得部によって取得された画像に、前記ガイド画像を重畳して表示することが好ましい。
【０１５９】
この構成によれば、位置情報取得部は、アンテナ位置情報を取得すると共に、画像取得部の通信装置における位置を表す画像取得位置情報を取得する。そして、表示部は、アンテナ位置情報と画像取得位置情報とに応じて、画像取得部によって取得された画像に、ガイド画像を重畳して表示する。
【０１６０】
したがって、アンテナ位置情報と画像取得位置情報とに応じて、画像取得部によって取得された画像に、ガイド画像が重畳して表示されるので、ループアンテナと画像取得部とが通信装置内の異なる位置に配置されている場合であっても、画像取得部によって取得された画像に、ガイド画像を正確に重畳して表示することができる。
【０１６１】
また、上記の通信装置において、前記表示部は、前記通信装置と前記外部機器との間の距離に応じて前記ガイド画像を表示することが好ましい。
【０１６２】
この構成によれば、通信装置と外部機器との間の距離に応じてガイド画像が表示されるので、通信装置と外部機器との間の距離が短くなるにつれて、ガイド画像の表示位置を変更することができる。
【０１６３】
また、上記の通信装置において、前記外部機器は、近接無線通信を行うアンテナの位置を表すガイドパターンを有し、前記表示部は、前記画像取得部によって取得される画像に含まれる前記ガイドパターンの大きさに応じて前記ガイド画像を表示することが好ましい。
【０１６４】
この構成によれば、外部機器は、近接無線通信を行うアンテナの位置を表すガイドパターンを有している。そして、表示部は、画像取得部によって取得される画像に含まれるガイドパターンの大きさに応じてガイド画像を表示する。
【０１６５】
したがって、画像取得部によって取得される画像に含まれるガイドパターンの大きさに応じてガイド画像が表示されるので、画像取得部によって取得される画像に含まれるガイドパターンが大きくなるにつれて、ガイド画像の表示位置を変更することができる。
【０１６６】
また、上記の通信装置において、前記外部機器は、近接無線通信を行うアンテナの位置を表すガイドパターンを有し、前記外部機器の選択を受け付ける選択受付部と、前記選択受付部によって選択された前記外部機器を識別するための外部機器識別情報を前記サーバへ送信し、前記外部機器識別情報に対応する前記ガイドパターンを取得するガイドパターン取得部とをさらに備え、前記表示部は、前記ガイドパターン取得部によって取得された前記ガイドパターンを、前記ループアンテナの位置として表示することが好ましい。
【０１６７】
この構成によれば、外部機器は、近接無線通信を行うアンテナの位置を表すガイドパターンを有している。選択受付部は、外部機器の選択を受け付ける。ガイドパターン取得部は、選択受付部によって選択された外部機器を識別するための外部機器識別情報をサーバへ送信し、外部機器識別情報に対応するガイドパターンを取得する。そして、表示部は、ガイドパターン取得部によって取得されたガイドパターンを、ループアンテナの位置として表示する。
【０１６８】
したがって、ガイドパターン取得部によって取得されたガイドパターンが、ループアンテナの位置として表示されるので、ユーザは、通信装置の表示部に表示されているガイドパターンを確認することにより、外部機器が有するガイドパターンを探すことができ、通信装置のアンテナと外部機器のアンテナとの位置合わせを容易に行うことができる。
【０１６９】
本発明の他の局面に係る通信方法は、近接無線通信を利用して外部機器と通信するための通信方法であって、近接無線通信を行うためのループアンテナの前記通信装置における位置を表すアンテナ位置情報を位置情報記憶部に記憶する位置情報記憶ステップと、前記ループアンテナの指向方向とは反対の面に設けられた表示部に、前記位置情報記憶部に記憶されている前記アンテナ位置情報に基づいて、前記ループアンテナの位置を表示する表示ステップとを含む。
【０１７０】
この構成によれば、位置情報記憶ステップにおいて、近接無線通信を行うためのループアンテナの通信装置における位置を表すアンテナ位置情報が位置情報記憶部に記憶される。表示ステップにおいて、ループアンテナの指向方向とは反対の面に設けられた表示部に、位置情報記憶部に記憶されているアンテナ位置情報に基づいて、ループアンテナの位置が表示される。
【０１７１】
したがって、位置情報記憶部に記憶されているアンテナ位置情報に基づいて、ループアンテナの位置が表示されるので、通信装置に内蔵されているアンテナの位置をユーザに案内することができ、通信装置のアンテナと外部機器のアンテナとの位置合わせを容易に行うことができる。
【０１７２】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１７３】
本発明に係る通信装置及び通信方法は、通信装置に内蔵されているアンテナの位置をユーザに案内することができ、通信装置のアンテナと外部機器のアンテナとの位置合わせを容易に行うことができ、近接無線通信を利用して外部機器と通信する通信装置及び通信方法に有用である。
【図１】
2012090494.tif 000003
【図２】
2012090494.tif 000004
【図３】
2012090494.tif 000005
【図４】
2012090494.tif 000006
【図５】
2012090494.tif 000007
【図６】
2012090494.tif 000008
【図７】
2012090494.tif 000009
【図８】
2012090494.tif 000010
【図９】
2012090494.tif 000011
【図１０】
2012090494.tif 000012
【図１１】
2012090494.tif 000013
【図１２】
2012090494.tif 000014
【図１３】
2012090494.tif 000015
【図１４】
2012090494.tif 000016
【図１５】
2012090494.tif 000017
【図１６】
2012090494.tif 000018
【図１７】
2012090494.tif 000019
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
ネットワークを介して接続されたサーバと通信するとともに、近接無線通信を利用してＲＦＩＤタグを備える外部機器と通信する通信装置であって、
前記外部機器が備えるＲＦＩＤタグへ近接無線通信によるポーリング信号を出力し、前記ポーリング信号を受信した前記外部機器が備えるＲＦＩＤタグから近接無線通信によるポーリング応答を受信するループアンテナと、
前記ループアンテナが前記ポーリング信号を送信するとともに前記ポーリング応答を受信する指向方向とは反対の面に設けられた表示部と、
前記通信装置を識別するための通信装置識別情報を記憶する通信装置識別情報記憶部と、
前記通信装置識別情報記憶部に記憶されている前記通信装置識別情報を前記サーバへ送信し、前記サーバから前記通信装置識別情報に対応する、前記通信装置における前記ループアンテナの位置を表すアンテナ位置情報を取得する位置情報取得部と、
前記取得したアンテナ位置情報を記憶する位置情報記憶部とを備え、
前記表示部は、前記ループアンテナが前記外部機器へ前記ポーリング信号を出力している期間に、前記位置情報記憶部に記憶されているアンテナ位置情報に基づいて、前記ループアンテナの位置を示すガイド図形を表示する通信装置。
【請求項２】
（削除）
【請求項３】
前記ループアンテナの指向方向の画像を取得する画像取得部をさらに備え、
前記表示部は、前記画像取得部によって取得された画像に、前記ループアンテナの位置を表すガイド画像を重畳して表示することを特徴とする請求項１記載の通信装置。
【請求項４】
前記画像取得部は、前記ループアンテナに囲まれた範囲に配置されていることを特徴とする請求項３記載の通信装置。
【請求項５】
前記位置情報取得部は、前記アンテナ位置情報を取得すると共に、前記画像取得部の前記通信装置における位置を表す画像取得位置情報を取得し、
前記表示部は、前記アンテナ位置情報と前記画像取得位置情報とに応じて、前記画像取得部によって取得された画像に、前記ガイド画像を重畳して表示することを特徴とする請求項３記載の通信装置。
【請求項６】
前記表示部は、前記通信装置と前記外部機器との間の距離に応じて前記ガイド画像を表示することを特徴とする請求項３記載の通信装置。
【請求項７】
前記外部機器は、近接無線通信を行うアンテナの位置を表すガイドパターンを有し、
前記表示部は、前記画像取得部によって取得される画像に含まれる前記ガイドパターンの大きさに応じて前記ガイド画像を表示することを特徴とする請求項３記載の通信装置。
【請求項８】
前記外部機器は、近接無線通信を行うアンテナの位置を表すガイドパターンを有し、
前記外部機器の選択を受け付ける選択受付部と、
前記選択受付部によって選択された前記外部機器を識別するための外部機器識別情報を前記サーバへ送信し、前記外部機器識別情報に対応する前記ガイドパターンを取得するガイドパターン取得部とをさらに備え、
前記表示部は、前記ガイドパターン取得部によって取得された前記ガイドパターンを、前記ループアンテナの位置として表示することを特徴とする請求項１，３〜７のいずれかに記載の通信装置。
【請求項９】
ネットワークを介して接続されたサーバと通信するとともに、近接無線通信を利用してＲＦＩＤタグを備える外部機器と通信する通信装置における通信方法であって、
前記通信装置が備えるとともに近接無線通信を行うループアンテナから、前記外部機器が備えるＲＦＩＤタグへポーリング信号を出力し、
前記ポーリング信号を受信した前記外部機器が備えるＲＦＩＤタグから送信されるポーリング応答を前記ループアンテナで受信し、
前記通信装置を識別するための通信装置識別情報を前記サーバへ送信し、
前記サーバから前記通信装置識別情報に対応する、前記通信装置における前記ループアンテナの位置を表すアンテナ位置情報を取得し、
前記ループアンテナが前記ポーリング信号を送信するとともに前記ポーリング応答を受信する指向方向とは反対の面に設けられた表示部に、前記ループアンテナから前記外部機器へ前記ポーリング信号が出力されている期間に、前記アンテナ位置情報に基づいて、前記ループアンテナの位置を示すガイド図形を表示する通信方法。
【国際調査報告】
2012090494.tif 000020
2012090494.tif 000021